(57)【要約】【課題】薬剤情報に対する禁忌食材を３段階以上の禁忌度に基づいて判別する。【解決手段】  判別対象のユーザが摂取予定の食品情報及び服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとを有することを特徴とする。【選択図】図４
2018132859.tif 000002
【特許請求の範囲】
【請求項１】
判別対象のユーザが摂取予定の食品情報及び服用している薬剤情報と、ユーザ自身の属性情報とを取得する情報取得手段と、
薬剤情報及び属性情報の組み合わせに対する食品情報との３段階以上の組み合わせ禁忌度を参照し、上記情報取得手段により取得された上記食品情報が、同じく取得された上記薬剤情報及び上記属性情報との関係において禁忌食材が含まれているか否かを判別する判別手段とを備えること
を特徴とする情報判別システム。
【請求項２】
上記情報取得手段は、ユーザの直近の生体情報を取得し、
上記判別手段は、薬剤情報、属性情報及び生体情報の組み合わせに対する食品情報との３段階以上の組み合わせ禁忌度を参照し、上記情報取得手段により取得された上記食品情報が、同じく取得された上記薬剤情報、上記属性情報及び上記生体情報との関係において禁忌食材が含まれているか否かを判別する判別手段とを備えること
を特徴とする請求項１記載の情報判別システム。
【請求項３】
判別対象のユーザが服用している薬剤情報と、ユーザ自身の属性情報とを取得する情報取得手段と、
薬剤情報及び属性情報の組み合わせに対する食品情報との３段階以上の組み合わせ禁忌度を参照し、上記情報取得手段により取得された上記薬剤情報及び上記属性情報との関係において禁忌食材を判別する判別手段とを備えること
を特徴とする情報判別システム。
【請求項４】
上記情報取得手段は、ユーザの直近の生体情報を取得し、
上記判別手段は、薬剤情報、属性情報及び生体情報の組み合わせに対する食品情報との３段階以上の組み合わせ禁忌度を参照し、上記情報取得手段により取得された上記薬剤情報、上記属性情報及び上記生体情報との関係において禁忌食材を判別する判別手段とを備えること
を特徴とする請求項１記載の情報判別システム。
【請求項５】
上記情報取得手段は、ＩＣカード又は携帯情報端末に実装され、
上記判別手段は、上記ＩＣカード又は上記携帯情報端末との間で通信可能な店舗内に設置される判別装置内に実装されること
を特徴とする請求項１〜４のうち何れか１項記載の情報判別システム。
【請求項６】
上記情報取得手段により取得された各情報は、クラウド上においてユーザ毎に管理され、
上記参照すべき組み合わせ禁忌度は、上記判別手段との間で通信可能なサーバにより管理されること
を特徴とする請求項１〜５のうち何れか１項記載の情報判別システム。
【請求項７】
上記判別手段は、人工知能により制御されること
を特徴とする請求項１〜６のうち何れか１項記載の情報判別システム。
【請求項８】
上記判別手段は、薬剤情報及び属性情報の組み合わせに対する禁忌食材に相当する食品情報の関係に関する情報が外部から提供され、これを参照すべき組み合わせ禁忌度に反映させること
を特徴とする請求項１又３記載の情報判別システム。
【請求項９】
上記判別手段は、薬剤情報、属性情報及び生体情報の組み合わせに対する禁忌食材に相当する食品情報の関係に関する情報が外部から提供され、これを参照すべき組み合わせ禁忌度に反映させること
を特徴とする請求項２又４記載の情報判別システム。
【請求項１０】
上記食品情報は、ユーザが摂取予定のサプリメントに関する情報を含むこと
を特徴とする請求項１〜９のうち何れか１項記載の情報判別システム。
【請求項１１】
判別対象のユーザが摂取予定の食品情報及び服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとを有すること
を特徴とする情報判別方法。
【請求項１２】
判別対象のユーザが服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとを有すること
を特徴とする情報判別方法。
【請求項１３】
判別対象のユーザが摂取予定の食品情報及び服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとをコンピュータに実行させること
を特徴とする情報判別プログラム。
【請求項１４】
判別対象のユーザが服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとをコンピュータに実行させること
を特徴とする情報判別プログラム。
【発明の詳細な説明】
【技術分野】
【０００１】
本発明は、ユーザの属性と、ユーザ自身が摂取している薬剤との関係において適切な食品を示唆する上で好適な情報判別システム及び方法、情報判別プログラムに関するものである。
【背景技術】
【０００２】
従来、特定の食品と特定の薬剤とを同時に摂取すると、薬剤の想定された薬効が阻害される場合があることが知られている。このような薬効が阻害される、いわゆる禁忌となる薬剤と食品の組み合わせを知らずにこれらを患者が摂取した場合、最悪の場合には重篤となってしまう。
【０００３】
例えば、一般的にアボガドは体に良いといわれ、特に女性が好んで摂取する果実であるが、抗結核薬や抗パーキンソン病薬等とアボカドとは互いに禁忌となる組み合わせである。アボガドに含まれているチラミンという成分は、血圧を上げる作用があるが、抗結核薬は、このチラミンの分解を阻害する働きがあり、これらを互いに飲み合わせるとチラミンの血圧を上げる作用が増強されて、血圧が異常に高くなってしまう。またアボガドにはピリドキシン（ビタミンＢ６）が多く含まれており、このピリドキシンは、抗パーキンソン病薬であるレボドパという物質の分解を促進するため、薬が効きにくくなる可能性があると言われている。
【０００４】
また、血液をかたまりにくくする薬剤であるワルファリンを服用しているときには納豆が互いに禁忌となる組み合わせである。即ち、納豆菌の作るビタミンＫがワルファリンの効果を弱めるばかりでなく、却って血栓ができやすくなると言われている。
【０００５】
また高齢者が服用する骨粗しょう症の治療に使うビタミンＤ３製剤は、牛乳が互いに禁忌となる組み合わせである。ビタミンＤ３製材は、腸管からのカルシウムの吸収を促進させ、血中のカルシウム値を上昇させる働きがあるが、牛乳と飲み合わせた場合に高カルシウム血症を起こす可能性があると言われている。
【０００６】
従来において、早期の段階で禁忌となる薬剤と食品の組み合わせに関する適切な情報を即時的に患者に対して提供することを目的とした技術が提案されている（例えば、特許文献１参照。）。
【０００７】
この特許文献１の開示技術によれば、ユーザが服用中の薬剤と、その薬剤に対して組み合わせ禁忌となる禁忌食材、および禁忌食材が調理されて得られる可能性のある禁忌食品とからなるユーザ禁忌データベースを予め取得しておく。そして、ユーザが摂取しようとする判定対象食品とユーザ禁忌データベースとを比較し、判定対象食品に禁忌食材が含まれているかを判別する。その結果、判定対象食品に禁忌食材が含まれている場合には、警告メッセージを表示させ、ユーザに注意を喚起する。
【先行技術文献】
【特許文献】
【０００８】
【特許文献１】特開２０１４−０１６７６３号公報
【発明の概要】
【発明が解決しようとする課題】
【０００９】
しかしながら、上述した特許文献１の開示技術によれば、あくまでユーザが服用中の薬剤情報のみに基づいて禁忌食材を一義的に特定するに過ぎないものである。実際に禁忌食材を判定する上では、服用中の薬剤情報以外に、ユーザにおける直近の体重や体脂肪率、血圧、脈拍等を始めとした生体情報や、ユーザの年齢、性別、持病、医師の診断結果、血糖値や血液データ、妊娠しているか否か、アレルギーの有無等のユーザ個人の属性情報を含めることで、より判定精度を向上させる必要がある。
【００１０】
また、特許文献１の開示技術では、薬剤情報に対して食材が単に禁忌であるか否かの２値で判定することを前提としている。しかしながら、禁忌であるものと判定された禁忌食材がどの程度禁忌なものであるのかを示す禁忌性については特段示唆を与えるものではない。仮にその禁忌食材を摂取した場合に即座に重篤になるほどの危険性があるのか、アレルギーが出る可能性どの程度高いのか、或いはその日の体調や上記生体情報、上記属性情報との関係においては、殆ど心配するレベルではないのかが分からない。
【００１１】
更に薬剤情報、属性情報及び生体情報の組み合わせに対する食品情報の禁忌性は、医学、薬学の進化、調理方法の変化、摂取すべきサプリメントの進化、さらには生活態様の変化に応じて変化する可能性がある。実際にユーザが服用する薬剤に対する禁忌食材は、最新の禁忌性に関するデータを参照して判断することが望ましい。特にビッグデータ化やＩｏＴ（Internet of Things）の進展に伴い、世の中に溢れるデータは従来と比較して格段の分量となっており、これらのデータを活用しなければ、薬剤情報と禁忌食材の禁忌性をより好適に更新することができない。
【００１２】
そこで本発明は、上述した問題点に鑑みて案出されたものであり、その目的とするところは、薬剤情報に対する禁忌食材を３段階以上の禁忌度に基づいて判別することができ、しかも薬剤情報のみならず他の属性情報、さらには生体情報を反映させた判別を行うことができ、さらにはその禁忌性の判断を、最新のデータを参照して判断することが可能な情報判別システム及び方法、情報判別プログラムを提供することにある。
【課題を解決するための手段】
【００１３】
第１発明に係る情報判別システムは、判別対象のユーザが摂取予定の食品情報及び服用している薬剤情報と、ユーザ自身の属性情報とを取得する情報取得手段と、薬剤情報及び属性情報の組み合わせに対する食品情報との３段階以上の組み合わせ禁忌度を参照し、上記情報取得手段により取得された上記食品情報が、同じく取得された上記薬剤情報及び上記属性情報との関係において禁忌食材が含まれているか否かを判別する判別手段とを備えることを特徴とする。
【００１４】
第２発明に係る情報判別システムは、第１発明において、上記情報取得手段は、ユーザの直近の生体情報を取得し、上記判別手段は、薬剤情報、属性情報及び生体情報の組み合わせに対する食品情報との３段階以上の組み合わせ禁忌度を参照し、上記情報取得手段により取得された上記食品情報が、同じく取得された上記薬剤情報、上記属性情報及び上記生体情報との関係において禁忌食材が含まれているか否かを判別する判別手段とを備えることを特徴とする。
【００１５】
第３発明に係る情報判別システムは、判別対象のユーザが服用している薬剤情報と、ユーザ自身の属性情報とを取得する情報取得手段と、薬剤情報及び属性情報の組み合わせに対する食品情報との３段階以上の組み合わせ禁忌度を参照し、上記情報取得手段により取得された上記薬剤情報及び上記属性情報との関係において禁忌食材を判別する判別手段とを備えることを特徴とする。
【００１６】
第４発明に係る情報判別システムは、第１発明において、上記情報取得手段は、ユーザの直近の生体情報を取得し、上記判別手段は、薬剤情報、属性情報及び生体情報の組み合わせに対する食品情報との３段階以上の組み合わせ禁忌度を参照し、上記情報取得手段により取得された上記薬剤情報、上記属性情報及び上記生体情報との関係において禁忌食材を判別する判別手段とを備えることを特徴とするシステム。
【００１７】
第５発明に係る情報判別システムは、第１〜第４発明において、上記情報取得手段は、ＩＣカード又は携帯情報端末に実装され、上記判別手段は、上記ＩＣカード又は上記携帯情報端末との間で通信可能な店舗内に設置される判別装置内に実装されることを特徴とする。
【００１８】
第６発明に係る情報判別システムは、第１〜第５発明の何れかにおいて、上記情報取得手段により取得された各情報は、クラウド上においてユーザ毎に管理され、上記参照すべき組み合わせ禁忌度は、上記判別手段との間で通信可能なサーバにより管理されることを特徴とする。
【００１９】
第７発明に係る情報判別システムは、第１〜第６発明の何れかにおいて、上記判別手段は、人工知能により制御されることを特徴とする。
【００２０】
第８発明に係る情報判別システムは、第１又は第３発明において、上記判別手段は、薬剤情報及び属性情報の組み合わせに対する禁忌食材に相当する食品情報の関係に関する情報が外部から提供され、これを参照すべき組み合わせ禁忌度に反映させることを特徴とする。
【００２１】
第９発明に係る情報判別システムは、第２又は第４発明において、上記判別手段は、薬剤情報、属性情報及び生体情報の組み合わせに対する禁忌食材に相当する食品情報の関係に関する情報が外部から提供され、これを参照すべき組み合わせ禁忌度に反映させることを特徴とする。
【００２２】
第１０発明に係る情報判別システムは、第１発明〜第９発明の何れかにおいて、上記食品情報は、ユーザが摂取予定のサプリメントに関する情報を含むことを特徴とする。
【００２３】
第１１発明に係る情報判別方法は、判別対象のユーザが摂取予定の食品情報及び服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとを有することを特徴とする。
【００２４】
第１２発明に係る情報判別方法は、判別対象のユーザが服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとを有することを特徴とする。
【００２５】
第１３発明に係る情報判別プログラムは、判別対象のユーザが摂取予定の食品情報及び服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとをコンピュータに実行させることを特徴とする。
【００２６】
第１４発明に係る情報判別プログラムは、判別対象のユーザが服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとをコンピュータに実行させることを特徴とする。
【発明の効果】
【００２７】
上述した構成からなる本発明によれば、薬剤情報に対する禁忌食材を３段階以上の禁忌度に基づいて判別することができ、しかも薬剤情報のみならず他の属性情報、さらには生体情報を反映させた判別を行うことができ、さらにはその禁忌性の判断を、最新のデータを参照して判断することが可能となる。
【図面の簡単な説明】
【００２８】
【図１】本発明を適用した情報判別システムの全体構成を示すブロック図である。
【図２】店舗内システムの構成例を示す図である。
【図３】携帯情報端末の具体的な構成例を示す図である。
【図４】本発明を適用した情報判別システムの処理動作のフローチャートである。
【図５】属性情報と、薬剤情報と、生体情報の３カテゴリーに対する食品又はサプリメントの３段階以上の禁忌度の関係を示す図である。
【図６】本発明を適用した情報判別システムの処理動作の他のフローチャートである。
【図７】本発明を適用した情報判別システムの処理動作において属性情報を更新する場合のフローチャートである。
【図８】本発明を適用した情報判別システムにおいてＩＣカードを利用する場合におけるブロック図である。
【発明を実施するための形態】
【００２９】
以下、本発明を適用した情報判別システム１００について、図面を参照しながら詳細に説明をする。
【００３０】
情報判別システム１００は、ユーザがこれから摂取しようとする食品について、ユーザ自らの年齢や持病や、服用中の薬剤等との関係において摂取すべきか否かを判別する。
【００３１】
図１は、本発明を適用した情報判別システム１００の全体構成を示すブロック図である。情報判別システム１００は、店舗内システム１と、携帯情報端末２と、病院内システム３と、サーバ４とを備えている。これら店舗内システム１乃至サーバ４は、公衆通信網５を介して相互に接続されている。
【００３２】
公衆通信網５は、店舗内システム１等が通信回線を介して接続されるインターネット網等である。公衆通信網５につきいわゆる光ファイバ通信網で構成してもよい。また、この公衆通信網５は、有線通信網に限定されるものではなく、無線通信網で実現するようにしてもよい。
【００３３】
図２は、店舗内システム１の構成例を示す図である。なお店舗内システム１は１つの装置として具現化されている場合を例にとり説明をするが、これに限定されるものではなく、複数の装置により具現化されるものであってもよい。
【００３４】
店舗内システム１は、ユーザが処方された薬剤を購入する薬局や、ドラッグストア、ショッピングモール、スーパーマーケット、デパートその他いかなる店舗に設けられている。店舗内システム１は、情報取得部１１と、通信部１２と、入力部１３と、表示部１４と、制御部１５と、店舗内データベース１６と、検査機器１７とを備えている。
【００３５】
情報取得部１１は、携帯情報端末２と非接触通信し、携帯情報端末２から個人識別ＩＤを読み出して制御部１５に送信する。通信部１２は、公衆通信網５を介してサーバ４等と通信し、送信されてきた情報を受信して制御部１５に供給し、或いは制御部１５から供給された情報を送信する。
【００３６】
入力部１３は、キーボードやマウス、タッチパネル等からなり、薬剤師等の操作に応じた信号を制御部１５に供給する。表示部１４は、液晶表示パネルなどからなり、制御部１５から供給されたデータに基づいて各種情報や画像等を表示する。また、この入力部１３は、例えばバーコードリーダ等で具現化される場合もあり、食品や食材に付されたバーコードを読み込むことでユーザが購入しようとする食品情報を取得することが可能となる。
【００３７】
制御部１５は、店舗内システム１全体の動作を中央制御ユニットとしての役割を担う。店舗内データベース１６は、各ユーザの属性情報、各ユーザの薬剤情報、各ユーザの生体情報、食品情報等の各種のデータが記録され、必要に応じてそれらのデータを制御部１５に供給する。
【００３８】
ここでいうユーザの属性情報とは、ユーザの年齢、性別、職業、住所、家族等の一般的な個人情報に加え、持病、病院において診断された情報（以下、診察情報という。）、血糖値や血液データ、妊娠しているか否か、アレルギーの有無、過去の病歴、ユーザのＤＮＡに関する情報等、ユーザ個人に関するあらゆる属性を示す情報である。この属性情報は、後述するように病院内システム３から取得することができる。
【００３９】
またユーザの薬剤情報は、薬局等においてユーザのために調剤された薬剤に関する情報や、医師から出された薬剤の処方せんに関する情報等が含まれている。この薬剤情報は、現在においてユーザが服用している、直近に出された処方せんに関する情報のみならず、過去に服用した薬歴も含まれる。更にこの薬剤情報には、薬剤以外にユーザが服用しようとするサプリメント、更にはその服用歴も含まれる。同じ種類のサプリメントでも、メーカー別に全成分表示が異なる場合があるが、かかる場合には、表示順に主成分の情報を反映させるようにしてもよい。
【００４０】
更に生体情報は、ユーザの体重や体脂肪率、血圧、脈拍等のような医師以外でも測定できる生体又は健康上の情報である。この生体情報は、実際に測定されたデータ以外に、一日の睡眠時間、喫煙の頻度、飲酒の頻度、月平均残業時間、家族の病歴、疲れやすさの度合い、排泄物の状況等、アンケート票を介して、或いは店員又は薬剤師による質問を介してユーザから回答してもらった情報も含まれる。
【００４１】
また食品情報は、ユーザが摂取しようとする食品に関する情報である。この食品情報としては、例えば食材とその食材を使った食品との２種類が関連つけて記憶されていてもよい。例えば、食材が豆腐であれば、食品としてはすきやき、麻婆丼、味噌汁等が関連付けて記憶されていてもよい。また食材が納豆であれば、食品としてはご飯にかける納豆単品以外に、寿司、納豆オムレツ等が関連付けて記憶されていてもよい。更に食材がマグロであれば、寿司、海鮮丼等の食品が関連付けて記憶されていてもよい。更には、この食品情報は、ユーザが摂取しようとするサプリメントに関する情報も含まれる。
【００４２】
検査機器１７は、ユーザの直近の生体情報を測定するためのデバイスである。検査機器１７は、例えば体重計、体脂肪率計測器、血圧計、脈拍計等、ドラッグストア等の店舗の店頭にて簡単に生体情報を測定し得る機器により構成されている。検査機器１７は、制御部１５に接続されており、測定した生体情報はこの制御部１５に送られる。制御部１５は、この検査機器１７から取得した生体情報を店舗内データベース１６に記憶させるように制御する。この検査機器１７は、生体情報に関してユーザから回答してもらったマークシート形式のアンケート票を電気的に読み取り可能なリーダーで構成されていてもよい。また店員又は薬剤師がユーザから直接的に生体情報を聞き取った場合には、上述した入力部１３を介してこれを入力し、入力部１３からその生体情報を制御部１５に供給するようにしてもよい。
【００４３】
携帯情報端末２は、例えば、携帯電話、スマートフォン、タブレット型端末、ウェアラブル端末、ノート型のパーソナルコンピュータ（ＰＣ）等であり、少なくともユーザの操作に基づいて公衆通信網５を介して通信可能なデバイスである。携帯情報端末２は、ユーザが携帯可能とすることにより、常時持ち運びを可能とするデバイスであるが、これに限定されるものではなく、据置き型のデスクトップ型ＰＣ等、あらゆる電子機器を含む概念である。
【００４４】
なお、この携帯情報端末２は、後述する情報判別プログラムを公衆通信網５を介してダウンロードすることなく、店頭で販売されているパッケージソフトをインストールする場合には、公衆通信網５を介した通信を行わない機器であってもよい。以下の例では、この携帯情報端末２につき、スマートフォンを適用する場合を例にとり説明をする。
【００４５】
図３は、携帯情報端末２の具体的な構成例を示している。この携帯情報端末２は、ＲＯＭ（Read Only Memory）２２と、データの蓄積や展開等に使用する作業領域としてのＲＡＭ(Random Access Memory)２３と、携帯情報端末２全体を制御するためのＣＰＵ（Central Processing Unit）２４と、操作ボタンやキーボード等を介して各種制御用の指令を入力するための操作部２５と、各種情報の表示を制御するための出力Ｉ／Ｆ３６と、ハードディスク等に代表され、実行すべき検索を行うためのプログラムを格納するための記憶部２７と、外部から携帯情報端末２内へデータを入力し、或いは携帯情報端末２において生成されたデータを外部へ出力するためのデータ入出力部２９が内部バス２１にそれぞれ接続されている。さらに、この内部バス２１には、通信Ｉ／Ｆ２８、近接通信部３１が接続されている。また、出力Ｉ／Ｆ３６には、実際に情報を表示するモニタとしての表示部２６が接続されている。
【００４６】
ＲＯＭ２２は、携帯情報端末２全体のハードウェア資源を制御するためのプログラムが格納されている。ＲＡＭ２３は、携帯情報端末２全体のハードウェア資源を制御するときの各種命令を一時的に記憶する。
【００４７】
ＣＰＵ２４は、内部バス２１を介して制御信号を送信することにより、携帯情報端末２内に実装された各構成要素を制御するためのいわゆる中央演算ユニットである。また、このＣＰＵ２４は、操作部２５を介したユーザの操作に応じて各種制御用の指令を内部バス２１を介して伝達する。
【００４８】
操作部２５は、タッチパネル等で具体化され、ユーザが実際に解決したい問題に関する情報が入力される他、本発明に係るプログラムを実行するための実行命令がユーザから入力される。この操作部２５は、上記実行命令がユーザにより入力された場合には、これをＣＰＵ２４に通知する。この通知を受けたＣＰＵ２４は、上記プログラムを記憶部２７から読み出して実行する。
【００４９】
出力Ｉ／Ｆ３６は、ＣＰＵ２４による制御に基づいて表示画像を作り出すグラフィックコントローラにより構成されている。この出力Ｉ／Ｆ３６に接続される表示部２６は、例えば、液晶ディスプレイ（ＬＣＤ）等によって実現される。
【００５０】
記憶部２７は、ハードディスクで構成される場合において、ＣＰＵ２４による制御に基づき、各アドレスに対して所定の情報が書き込まれるとともに、必要に応じてこれが読み出される。また、この記憶部２７には、本発明を実行するためのプログラムが格納されている。このプログラムはＣＰＵ２４により読み出されて実行されることになる。また、この記憶部２７には、属性情報や薬剤情報、生体情報等が記憶される場合もある。
【００５１】
通信Ｉ／Ｆ２８は、公衆通信網５と接続するための回線制御回路や、他の端末装置との間でデータ通信を行うための信号変換回路等が実装されている。通信Ｉ／Ｆ２８は、内部バス２１からの各種命令に変換処理を施してこれを公衆通信網５側へ送出するとともに、公衆通信網５からのデータを受信した場合にはこれに所定の変換処理を施して内部バス２１、或いはＣＰＵ２４へ送信する。
【００５２】
データ入出力部２９は、ＰＣ等の電子機器との間でＵＳＢ接続するためのコード等が接続される。このデータ入出力部２９を介して外部の機器との間でデータを入出力することが可能となる。
【００５３】
近接通信部３１は、店舗内システム１や病院内システム３と非接触通信し、個人識別ＩＤを送信し、また必要な情報を送受信する。
【００５４】
病院内システム３は、患者であるユーザが通院する病院内に設けられている。病院内システム３は、携帯情報端末２における近接通信部３１との非接触通信等の近接通信により、携帯情報端末２から個人識別ＩＤを読み出し、医師等の入力操作に応じて各種の入力処理を行う。
【００５５】
また、病院内システム３には、患者であるユーザの個人情報や、その病院や関連する病院において生成された診察情報がユーザ毎に記録されている。
【００５６】
病院内システム３は、必要に応じてユーザの個人情報や医師による診察情報を、上述した属性情報とし、これを公衆通信網５を介してサーバ４や店舗内システム１へと送信する。
【００５７】
サーバ４は、所定のデータベースが構築されている。このデータベースには、公衆通信網５を介して送られてきた情報（食品情報、属性情報、薬剤情報、生体情報等を含む）が蓄積される。また、このサーバ４は、店舗内システム１、携帯情報端末２、病院内システム３からの要求に基づいて、この蓄積した情報を公衆通信網５を介して店舗内システム１、携帯情報端末２、病院内システム３へと送信する。
【００５８】
なお、店舗内システム１、携帯情報端末２、病院内システム３、サーバ４における何れか１以上の構成要素は、人工知能により制御されるものであってもよい。本発明への人工知能の具体的な応用方法は、従来における全ての公知の人工知能に関する情報の何れか１以上に基づくものであってもよい。
【００５９】
本発明を適用した情報判別システム１００は、店舗内システム１、携帯情報端末２、病院内システム３、サーバ４内にインストールされた情報判別プログラムを介して実行していく。即ち、ユーザは、携帯情報端末２を操作し、或いは店舗内システム１による処理動作を通じて表示された示唆を通じて、自ら摂取しようとする食品について、ユーザ自らの年齢や持病や、服用中の薬剤等との関係において摂取すべきか否かを判別する。情報判別プログラムは、携帯情報端末２にインストールして使用する場合に限定されるものではなく、店舗内システム１、病院内システム３、サーバ４に記憶させて動作可能としておき、携帯情報端末２側からこれらにアクセスして使用するようにしてもよいことは勿論である。
【００６０】
図４は、本発明を適用した情報判別システム１００の処理動作フローの一例を示している。
【００６１】
先ず本システムの開始前においてユーザの携帯情報端末２内には、属性情報が既に入力されているものとする。この属性情報は、ユーザＩＤ等を介して守秘性が担保された状態で、サーバ４や店舗内システム１における店舗内データベース１６、或いは病院内システム３において記憶されていてもよい。
【００６２】
かかる状態の下で、先ずステップＳ１１において、ユーザは病院に通院した際に所方せんを発行してもらう。病院内システム３は所方せんを発行する際に、薬剤情報を紙媒体に
印刷してユーザに渡す以外に、薬剤情報をユーザの携帯情報端末２に非接触通信等の近接通信により転送する。これにより、携帯情報端末２内の薬剤情報が更新されることとなる（ステップＳ１２）。紙媒体の薬剤情報を発行してもらった場合に、ユーザが音声入出力部３１や操作部２５を介してこれを入力するようにしてもよく、かかる場合も同様に携帯情報端末２内の薬剤情報が更新されることとなる。
【００６３】
このステップＳ１２終了後において、携帯情報端末２の記憶部２７内には、属性情報に加え、薬剤情報が入力されている状態となっている。この記憶部２７に記憶されている薬剤情報としては、今回ステップＳ１１において新たに発行された所方せんに基づく薬剤情報のみならず、これよりも以前に発行された所方せんに基づく薬歴が全て入力されていてもよい。
【００６４】
ステップＳ１２において携帯情報端末２内の薬剤情報を更新したユーザは、ドラッグストア等を始めとする店舗に移動し、必要な場合には店員又は薬剤師を介して店舗内システム１にアクセスする。この店舗内システム１において、携帯情報端末２を情報取得部１１に近接通信させる。これにより、店舗内システム１は、携帯情報端末２に入力されている薬剤情報と、属性情報を取得することが可能となる（ステップＳ２１）。店舗内システム１は、取得した薬剤情報と属性情報とを、店舗内データベース１６に一旦格納する。
【００６５】
次にステップＳ２２に移行し、生体情報の計測を行う。この生体情報の計測は、店舗内に設置された検査機器１７を使用する。店員又は薬剤師は、体重計、体脂肪率計測器、血圧計、脈拍計等を使用してユーザの体重や体脂肪率、血圧、脈拍等を測定する。測定した生体情報は、店舗内データベース１６に一旦格納されることとなる。なお、このステップＳ２２はステップＳ２１よりも先行して行うようにしてもよい。
【００６６】
次にステップＳ２３に移行し、制御部１５は、禁忌度の高い食材を判別する。忌避度を判定する上で、この店舗内システム１は、図５に示すように属性情報と、薬剤情報と、生体情報の３カテゴリーに対する食品又はサプリメントの３段階以上の禁忌度のデータを保有しているものとする。この属性情報としては、例えば年代毎に分類された「年齢」、男女別に分類された「性別」、具体的な持病やアレルギーにより分類された「持病、アレルギー」、血糖値の範囲で分類された「血糖値」等が例えば規定されているものとする。同様に属性情報としては、「抗結核薬」、「抗パーキンソン病薬」、「ワルファリン」、「ビタミンＤ３」等が分類されているものとする。また生体情報としては、それぞれ数値範囲で分類された「ＢＭＩ（ボディー・マス・インデックス）」、「体脂肪率」、「血圧」、「脈拍」等が規定されているものとする。
【００６７】
また禁忌食材の候補としては、例えば「納豆」、「卵」、「牛乳」、「まぐろ」等を例示しており、各食材をそれぞれ利用した食品を関連付けて記憶させるようにしてもよい。また、禁忌食材は、いわゆる食品に具現化される場合に限定されるものではなく、サプリメントもこれに含まれる。かかる場合には、食材の代わりに物質として例えば「ビタミンＣ」や「濃縮ウコン」を規定し、これを利用したサプリメントの製品名を関連付けて記憶するようにしてもよい。
【００６８】
禁忌度のデータは、図５に示すように属性情報と薬剤情報と生体情報を左側に配置し、禁忌食材の候補を右側に配置した連関度のモデルで整理されている。この連関度のモデルは、属性情報の各分類、薬剤情報の各分類、生体情報の各分類がそれぞれ食材（物質）との間で３段階以上の禁忌度として定義されている。この禁忌度の数値が高い食材（物質）を含む食品（サプリメント）の禁忌性が高いことを意味している。禁忌性が高いことの意味するところは、より禁忌性の高い旨が判定された食材（物質）を含む食品（サプリメント）を摂取した場合に、ユーザの健康上何らかのリスクが発生する可能性が高くなることを意味している。この健康上のリスクとは、血圧が上昇したり、血栓、吐き気、高カルシウム血症、引きつけ、下痢が発生する等、健康を阻害するあらゆる症状を意味する。
【００６９】
本発明においては、各食材につき、属性情報の１種以上、及び薬剤情報の１種以上、及び生体情報の１種以上が禁忌度が設定されていることが前提となる。例えば食材としての納豆には、属性情報のうちの１種類として「年齢」と、薬剤情報のうちの１種類として「抗パーキンソン病薬」、生体情報として「血圧」がそれぞれ禁忌度として定義されている。このとき、例えば「納豆」に対して「年齢」の各分類（３０代以下、４０代、５０代、６０代、７０代以上）につき禁忌度が（２５％、３５％、５０％、６０％、７５％）等のように割り当てられている。同様に「納豆」に対して「血圧」の各分類（１２０未満、１２０〜１３０未満、１３０〜１４０未満、１４０〜１６０未満、１６０以上）につき禁忌度が（１５％、２５％、３０％、４０％、５５％）等のように割り当てられている。同様に「納豆」に対して「抗パーキンソン病薬」の禁忌度が６０％のように割り当てられている。
【００７０】
このように食材に対して属性情報、薬剤情報、生体情報の１種以上の項目につき、分類毎に３段階以上の禁忌度が割り当てられていてもよいが、これら属性情報、薬剤情報、生体情報の組み合わせに対する禁忌度（以下、組み合わせ禁忌度という。）が食材に対して割り当てられていてもよい。
【００７１】
かかる場合には、例えば、属性情報としての「年齢」が６０代、薬剤情報として「抗パーキンソン病薬」、生体情報としての「血圧」が１４０〜１６０未満の３つの組み合わせに対する「納豆」の組み合わせ禁忌度が５５％、属性情報としての「年齢」が４０代、薬剤情報として「抗パーキンソン病薬」、生体情報としての「血圧」が１２０〜１３０未満の３つの組み合わせに対する「納豆」の組み合わせ禁忌度が２５％、属性情報としての「年齢」が７０代以上、薬剤情報として「抗パーキンソン病薬」、生体情報としての「血圧」が１６０以上の３つの組み合わせに対する「納豆」の組み合わせ禁忌度が８５％等と割り当てられていてもよい。
【００７２】
更に、属性情報、薬剤情報、生体情報の組み合わせの禁忌度を構成する上で、これら属性情報内において２種以上に亘り組み合わせ項目として設定されていてもよいし、薬剤情報内において２種以上に亘り組み合わせ項目として設定されていてもよいし、生体情報内において２種以上に亘り組み合わせ項目として設定されていてもよい。例えば、属性情報としての「年齢」が６０代でかつ「血糖値」が１２６以上で、薬剤情報として「抗パーキンソン病薬」、生体情報としての「ＢＭＩ」が３５〜４０未満の組み合わせに対する「納豆」の組み合わせ禁忌度が６５％等のように割り当てられていてもよい。また属性情報としての「持病、アレルギー」がぜんそくで、薬剤情報として「ワルファリン」及び「抗結核薬」であり、生体情報としての「脈拍」が１００超の組み合わせに対する「濃縮ウコン」の組み合わせ禁忌度が４５％等のように割り当てられていてもよい。更には、属性情報としての性別が「女」で、薬剤情報として「ワルファリン」及び「ビタミンＤ３」であり、更に「ＢＭＩ」が１８．５未満、かつ血圧が１６０以上、かつ脈拍が６０〜１００の組み合わせに対する「卵」の組み合わせ禁忌度が８０％等のように割り当てられていてもよい。
【００７３】
店舗内システム１は、上述した図５に示す３段階以上の組み合わせ禁忌度を予め取得した上でステップＳ２３の食品（食材）の判別を行う。かかる場合には、制御部１５による制御の下で、ステップＳ２２以前において取得したユーザの属性情報、薬剤情報、生体情報から、図５に示す３段階以上の組み合わせ禁忌度を参照し、禁忌食材を判別する。
【００７４】
例えば、ステップＳ２２において取得したユーザの属性情報としての「年齢」が６０代でかつ「血糖値」が１２６以上で、薬剤情報として「抗パーキンソン病薬」で、生体情報としての「ＢＭＩ」が３５〜４０未満である場合、上述した組み合わせ禁忌度を参照した場合、「納豆」が６５％であることを判別することができ、「カレーライス」が３４％、「ビタミンＣ」が１９％等のように各食品（食材）毎の組み合わせ禁忌度を判別することができる。同様に、ステップＳ２２において取得したユーザの属性情報としての性別が「女」で、薬剤情報として「ワルファリン」及び「ビタミンＤ３」であり、更に「ＢＭＩ」が１８．５未満、かつ血圧が１６０以上、かつ脈拍が６０〜１００である場合、上述した組み合わせ禁忌度を参照した場合、「卵」が８０％、「セロリ」が１０％、「ホタテ」が６％等のように判別することができる。
【００７５】
更に薬剤情報には、ユーザが服用しているサプリメントに関する情報も含まれる。このため、薬剤情報においてサプリメントとしての葉酸や亜鉛等が選択された場合には、これらサプリメントと属性情報、生体情報との組み合わせに対する食品情報との組み合わせ禁忌度を判別することが可能となる。
【００７６】
例えば、取得したユーザの属性情報としての「年齢」が３０代で、薬剤情報としてサプリメントの「葉酸」で、生体情報としての「ＢＭＩ」が３５〜４０未満である場合、上述した組み合わせ禁忌度を参照した場合、「納豆」が４５％であることを判別することができ、「ビタミンＣ」が５６％等のように各食品（食材）、サプリメント毎の組み合わせ禁忌度を判別することができる。特に薬剤情報にサプリメントが選択され、食材としてもサプリメントが選択された場合には、サプリメント同士の禁忌度を判別することが可能となる。
【００７７】
店舗内システム１は、このようにして判別した組み合わせ禁忌度をユーザに対していかなる方法で通知してもよい。かかる場合には、例えば表示部１４を介して、その組み合わせ禁忌度の高い食材（物質）、ひいてはこれに関連付けられる食品（サプリメント）を、当該組み合わせ禁忌度と共に表示するようにしてもよいし、レシート等の紙媒体にそれらを表示するようにしてもよい。或いは、この禁忌度の高い食材（物質）や食品（サプリメント）を当該組み合わせ禁忌度と共に通信部１２又は情報取得部１１を介してユーザの携帯情報端末２に送信することにより通知するようにしてもよい。
【００７８】
このような組み合わせ禁忌度を確認したユーザは、自らの属性情報に加え、本日測定した生体情報と現在摂取している薬剤に関する薬剤情報との関係から、禁忌性の高い食材を判別することができる。その結果、禁忌性の高い食材を含む食品の購入を事前に回避することができ、ひいては禁忌性の高い食材を摂取することによる健康上の不具合を回避することが可能となる。特に薬剤とサプリメントの飲み合わせが危険な場合があるが、本発明によれが薬剤情報と、サプリメントを含む食品情報との間で組み合われ禁忌度が定義されているため、これらの危険性の判断も行うことが可能となる。
【００７９】
図６は、本発明を適用した情報判別システム１００の処理動作フローの他の例を示している。この処理動作フローにおいて上述した図４に示す処理動作フローと同一のステップについては、同一のステップ番号Ｓを付与することにより、以下での説明を省略する。
【００８０】
この図６に示す処理動作においては、ステップＳ２１における薬剤情報と属性情報の取得、及びステップＳ２２における生体情報の取得を終了した後、ステップＳ２４に移行する点が異なる。即ち、このステップＳ２４においては、ユーザが店舗内において自らが購入するための食材を選択する。店舗がドラッグストアやスーパーマーケット、ショッピングモールである場合には、食材、ひいてはこれが使用される食品が陳列されており、ユーザが購入のために選択することができる状態となっている場合が多い。例えば買い物カゴに入れられた食材や食品は、ユーザが自ら摂取すべく購入のため選択されたものと考えることができる。店舗内システム１では、買い物カゴに入れられた食品や食材から入力部１３としてのバーコードリーダを介して食品情報を読み取ることができ、或いは情報取得部１１に具現化されたＩＣタグの読み取り装置を介して食品情報を読み取ることができる。ちなみに、この食材の選択は、店舗内システム１が設置されている店舗以外であってもよい。このように、ユーザが選択された食材、食品についての食品情報を店舗内システム１側において取得した後、ステップＳ２５へ移行する。
【００８１】
なお、このステップＳ２４は、ステップＳ２１、Ｓ２２との間で順番が入れ替わるものであってもよい。換言すれば、ステップＳ２５に到達するまでに、ステップＳ２１、２２、２４を通じて属性情報、薬剤情報、生体情報、食品情報が取得できていればよい。
【００８２】
ステップＳ２５に移行した場合には、取得した属性情報、薬剤情報、生体情報に加え、ステップＳ２４において取得した食品情報も含めて禁忌性の判断を行う。このステップＳ２５の判断は、主としてステップＳ２４においてユーザが購入のために選択された食品、食材につき、属性情報、薬剤情報、生体情報との関係において禁忌度の高低を判別するものである。
【００８３】
かかる場合も同様に図５に示すような属性情報、薬剤情報、生体情報に対する食材との連関度を参照することとなる。店舗内システム１は、上述した図５に示す３段階以上の組み合わせ禁忌度を予め取得した上でステップＳ２５の判別を行う。かかる場合には、制御部１５による制御の下で、ステップＳ２４以前において取得したユーザの属性情報、薬剤情報、生体情報、食品情報から、図５に示す３段階以上の組み合わせ禁忌度を参照し、禁忌食材を判別する。
【００８４】
例えば、ステップＳ２２において取得したユーザの属性情報としての「年齢」が６０代でかつ「血糖値」が１２６以上で、薬剤情報として「抗パーキンソン病薬」で、生体情報としての「ＢＭＩ」が３５〜４０未満であり、ユーザが選択した食材が「まぐろ」であった場合に、上述した組み合わせ禁忌度を参照した場合、２５％であることを判別することができる。例えば、「血糖値」が１２６以上で、薬剤情報として「抗パーキンソン病薬」で、生体情報としての「ＢＭＩ」が３５〜４０未満であり、ユーザが選択した食材が「納豆」であった場合に、上述した組み合わせ禁忌度を参照した場合、７５％であることを判別することができる。例えば、「血糖値」が１２６以上で、薬剤情報として「抗パーキンソン病薬」で、生体情報としての「ＢＭＩ」が３５〜４０未満であり、ユーザが選択した食材が「ビタミンＣ」であった場合に、上述した組み合わせ禁忌度を参照した場合、４５％であることを判別することができる。
【００８５】
このように属性情報、薬剤情報、生体情報が仮に同一の組み合わせであった場合でも、これに対する食材の組み合わせ禁忌度はそれぞれ個別に設定されている。このため、ユーザが選択する食材に応じて、判別される組み合わせ禁忌度は互いに異なるものとなる場合がある。
【００８６】
また、上述以外に、属性情報、薬剤情報、生体情報の中で２種以上が選択される場合も同様である。例えば、ステップＳ２２において取得したユーザの属性情報としての性別が「女」で、薬剤情報として「ワルファリン」及び「ビタミンＤ３」であり、更に「ＢＭＩ」が１８．５未満、かつ血圧が１６０以上、かつ脈拍が６０〜１００であり、更に選択された食品が「卵」であった場合、上述した組み合わせ禁忌度を参照した場合、「卵」が８０％であるため、これをユーザに通知する。
【００８７】
店舗内システム１は、このようにして判別した組み合わせ禁忌度をユーザに対していかなる方法で通知してもよい。かかる場合には、例えば表示部１４を介して、組み合わせ禁忌度の数値を表示するようにしてもよいし、レシート等の紙媒体にそれらを表示するようにしてもよい。或いは、組み合わせ禁忌度を２段階以上に分類するための閾値を介して判別し、その判別結果を表示するようにしてもよい。
【００８８】
このように本発明を適用した情報判別システム１００では、３段階以上に設定されている組み合わせ禁忌度を介して食材の禁忌性に関する判別を行う点に特徴がある。組み合わせ禁忌度は、例えば０〜１００％までの数値で記述することができるが、これに限定されるものではなく３段階以上の数値で記述できるものであればいかなる段階で構成されていてもよい。
【００８９】
このような３段階以上の数値で表される組み合わせ禁忌度に基づいて探索することで、仮に属性情報、薬剤情報、生体情報の中の同種の組み合わせであっても、複数の食材（食品）について、組み合わせ禁忌度の高い順に探索して表示することも可能となる。このように組み合わせ禁忌度の高い順にユーザに表示できれば、より危険性の高い食材の購入を優先的に回避できるような示唆を与えることができる。
【００９０】
これに加えて、本発明によれば、組み合わせ禁忌度が１％のような極めて低い食材（食品）も見逃すことなく判断することができます。組み合わせ禁忌度が極めて低い食材（食品）であっても僅かな兆候として繋がっているものであり、何十回、何百回に一度は健康を阻害するリスクになる場合もあり得ることをユーザに対して注意喚起することができる。
【００９１】
更に本発明によれば、このような３段階以上の組み合わせ禁忌度に基づいて、禁忌性の高い食材の探索を行うことにより、閾値の設定の仕方で、探索方針を決めることができるメリットがある。閾値を低くすれば、上述した組み合わせ禁忌度が１％のものであっても漏れなく拾うことができる反面、危険性の低い食材（食品）を沢山拾ってしまう場合もある。一方、閾値を高くすれば、危険性の高い食材（食品）のみ絞り込むことができる反面、危険性は低いが時には有害な作用を起こす食材を見落としてしまう場合もある。いずれに重きを置くかは、ユーザ側、システム側の考え方に基づいて決めることが可能となるが、このような重点を置くポイントを選ぶ自由度を高くすることが可能となる。
【００９２】
なお、本発明は、上述した実施の形態に限定されるものではない。例えば図７に示すような処理動作フローを実行するようにしてもよい。この図７の処理動作フローにおいて上述した図４、６に示す処理動作フローと同一のステップについては、同一のステップ番号Ｓを付与することにより、以下での説明を省略する。
【００９３】
この図７に示す処理動作フローでは、病院内システム３において最初にステップＳ１３においてユーザは医師による診断を受ける。そして、ステップＳ１４に移行し、医師により診断された病気、施された治療や投薬に関する情報を当該ユーザの属性情報に反映させる。これにより、属性情報がその日における医師の診断や治療が反映された最新のものに更新させることとなる。このステップＳ１４の後にはステップＳ１１が続くこととなる。
【００９４】
店舗内システム１は、図６の処理動作と同様にステップＳ２１、Ｓ２２、Ｓ２４、Ｓ２５が続くこととなるが、これに限定されるものではなく、図４のようにステップＳ２１、Ｓ２２、Ｓ２３が続くものであってもよい。
【００９５】
また、上述した実施の形態においては、あくまで属性情報、薬剤情報、生体情報の中から最低１種類の項目が選択されることを前提に説明をしたが、これに限定されるものではなく、属性情報、薬剤情報の中から最低１種類の項目が選択されるものであってもよい。かかる場合には、図５に示す参照すべき組み合わせ連関度が、属性情報、薬剤情報と食材との関係において設定されていればよく、生体情報については特段含められていなくてもよい。かかる場合には、生体情報を計測するステップＳ２２が省略される形となる。
【００９６】
また上述した実施の形態においては、店舗内システム１内において属性情報、薬剤情報、生体情報、ひいては食品情報を集約し、組み合わせ禁忌度の判別を行う場合を例にとり説明をしたが、これに限定されるものではない。例えばサーバ４やクラウド側にて属性情報、薬剤情報、生体情報、食品情報の全て、又は何れか１以上をユーザ毎に管理し、組み合わせ禁忌度の判別を行う際には、店舗内システム１からサーバ４やクラウドにアクセスして、これらの情報を取得するようにしてもよい。
【００９７】
また本発明においては、例えばユーザの所持する携帯情報端末２において動作するアプリケーション又は店舗内システム１以外のパーソナルコンピュータ（ＰＣ）を介して上述した判別を行うようにしてもよい。かかる場合には、これら携帯情報端末２又はＰＣ内にインストールされたアプリケーションプログラムを通じて上述した処理動作を実行していくこととなる。かかる場合においても同様に携帯情報端末２又はＰＣ内に属性情報、薬剤情報、生体情報、食品情報の全て、又は何れか１以上を取得するようにしてもよい。或いはサーバ４やクラウド側にて属性情報、薬剤情報、生体情報、食品情報の全て、又は何れか１以上をユーザ毎に管理し、組み合わせ禁忌度の判別を行う際には、携帯情報端末２又はＰＣからサーバ４やクラウドにアクセスして、これらの情報を取得するようにしてもよい。
【００９８】
ちなみに携帯情報端末２は、ＩＣカード等に置き換えることも可能である。図８は、携帯情報端末２をＩＣカード２０に置き換えた例である。ＩＣカード２０内には、情報を記録可能なＩＣタグと、公衆通信網を介して情報を送受信可能な無線通信部又は情報取得部１１との間で近距離通信可能な通信部が設けられている。またＩＣカード２０は、携帯情報端末２と同様に、店舗内システム１や病院内システム３との間で情報を送受信可能とされている。ＩＣカード２０内には、属性情報が予め記憶されており、必要に応じてステップＳ１４等においてこれが更新されてもよい。またＩＣカード２０にはステップＳ１２において薬剤情報が更新される。これらの情報更新は、ＩＣカード２０内の通信部等を介して実行する。また店舗内システム１は、ステップＳ２１においてこのＩＣカード２０から情報取得部１１を通じて属性情報や薬剤情報を取得することとなる。ＩＣカード２０を使用した処理動作については、上述した携帯情報端末２の処理動作を全てＩＣカード２０に読み替えて説明することができる。
【００９９】
更に本発明では、上述した組み合わせ禁忌度を更新させるようにしてもよい。つまり、図５に示すような属性情報、薬剤情報、生体情報と、食材との組み合わせ禁忌度を随時更新していく。この更新は、例えば公衆通信網５を介して提供された情報を反映させるようにしてもよい。公衆通信網５から取得可能なサイト情報や書き込み等を通じて、属性情報、薬剤情報、生体情報と、食材との禁忌性について新たな知見が発見された場合には、当該知見に応じて組み合わせ禁忌度を上昇させ、或いは下降させる。例えば属性情報、薬剤情報、生体情報におけるある種類の項目と、特定の食材との関係において禁忌性が高くなっていることが新たに報告された場合には、これらの間に設定されている組み合わせ禁忌度を上昇させる。また属性情報、薬剤情報、生体情報におけるある種類の項目と、特定の食材との関係において禁忌性が低くなっていることが新たに報告された場合には、これらの間に設定されている組み合わせ禁忌度を下降させる。
【０１００】
この組み合わせ禁忌度の更新は、公衆通信網５から取得可能な情報に基づく場合以外に、医師や栄養士による研究データや論文、学会発表の内容に基づいてシステム側又はユーザ側が人為的に、又は自動的に更新するようにしてもよい。これらの更新処理においては人工知能を活用するようにしてもよい。
【０１０１】
即ち、本発明によれば、薬剤情報及び属性情報の組み合わせに対する禁忌食材に相当する食品情報の関係に関する情報が外部から提供された場合に、これを参照すべき組み合わせ禁忌度に反映させるものであってもよい。同様に薬剤情報、属性情報及び生体情報の組み合わせに対する禁忌食材に相当する食品情報の関係に関する情報が外部から提供された場合に、これを参照すべき組み合わせ禁忌度に反映させるものであってもよい。
【符号の説明】
【０１０２】
１  店舗内システム
２  携帯情報端末
３  病院内システム
４  サーバ
５  公衆通信網
１１  情報取得部
１２  通信部
１３  入力部
１４  表示部
１５  制御部
１６  店舗内データベース
１７  検査機器
２１  内部バス
２５  操作部
２６  表示部
２７  記憶部
２９  データ入出力部
３１  音声入出力部
３１  近接通信部
３６  出力Ｉ／Ｆ
１００  情報判別システム
【図１】
2018132859.tif 000003
【図２】
2018132859.tif 000004
【図３】
2018132859.tif 000005
【図４】
2018132859.tif 000006
【図５】
2018132859.tif 000007
【図６】
2018132859.tif 000008
【図７】
2018132859.tif 000009
【図８】
2018132859.tif 000010
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
判別対象のユーザが摂取予定の食品情報及び服用している薬剤情報と、ユーザ自身の属性情報と、ユーザの直近の生体情報とを取得する情報取得手段と、
薬剤情報、属性情報及び生体情報の組み合わせに対する食品情報との３段階以上の組み合わせ禁忌度を参照し、上記情報取得手段により取得された上記食品情報が、同じく取得された上記薬剤情報、上記属性情報及び上記生体情報との関係において禁忌食材が含まれているか否かを判別する判別手段とを備えること
を特徴とする情報判別システム。
【請求項２】
判別対象のユーザが服用している薬剤情報と、ユーザ自身の属性情報と、ユーザの直近の生体情報とを取得する情報取得手段と、
薬剤情報、属性情報及び生体情報の組み合わせに対する食品情報との３段階以上の組み合わせ禁忌度を参照し、上記情報取得手段により取得された上記薬剤情報、上記属性情報及び上記生体情報との関係において禁忌食材を判別する判別手段とを備えること
を特徴とする情報判別システム。
【請求項３】
上記情報取得手段は、ＩＣカード又は携帯情報端末に実装され、
上記判別手段は、上記ＩＣカード又は上記携帯情報端末との間で通信可能な店舗内に設置される判別装置内に実装されること
を特徴とする請求項１又は２項記載の情報判別システム。
【請求項４】
上記情報取得手段により取得された各情報は、クラウド上においてユーザ毎に管理され、
上記参照すべき組み合わせ禁忌度は、上記判別手段との間で通信可能なサーバにより管理されること
を特徴とする請求項１〜３のうち何れか１項記載の情報判別システム。
【請求項５】
上記判別手段は、上記禁忌度を参照して、禁忌食材が含まれているか否かの判別を人工知能を利用して実行すること
を特徴とする請求項１〜４のうち何れか１項記載の情報判別システム。
【請求項６】
判別対象のユーザが摂取予定の食品情報及び服用している薬剤情報と、ユーザ自身の属性情報とを取得する情報取得手段と、
薬剤情報及び属性情報の組み合わせに対する食品情報との３段階以上の組み合わせ禁忌度を参照し、上記情報取得手段により取得された上記食品情報が、同じく取得された上記薬剤情報及び上記属性情報との関係において禁忌食材が含まれているか否かを判別する判別手段とを備え、
上記判別手段は、薬剤情報及び属性情報の組み合わせに対する禁忌食材に相当する食品情報の関係に関する情報が外部から提供され、これを参照すべき組み合わせ禁忌度に反映させること
を特徴とする情報判別システム。
【請求項７】
判別対象のユーザが服用している薬剤情報と、ユーザ自身の属性情報とを取得する情報取得手段と、
薬剤情報及び属性情報の組み合わせに対する食品情報との３段階以上の組み合わせ禁忌度を参照し、上記情報取得手段により取得された上記薬剤情報及び上記属性情報との関係において禁忌食材を判別する判別手段とを備え、
上記判別手段は、薬剤情報及び属性情報の組み合わせに対する禁忌食材に相当する食品情報の関係に関する情報が外部から提供され、これを参照すべき組み合わせ禁忌度に反映させること
を特徴とする情報判別システム。
【請求項８】
上記判別手段は、薬剤情報、属性情報及び生体情報の組み合わせに対する禁忌食材に相当する食品情報の関係に関する情報が外部から提供され、これを参照すべき組み合わせ禁忌度に反映させること
を特徴とする請求項１又２記載の情報判別システム。
【請求項９】
上記食品情報は、ユーザが摂取予定のサプリメントに関する情報を含むこと
を特徴とする請求項１〜８のうち何れか１項記載の情報判別システム。
【請求項１０】
判別対象のユーザが摂取予定の食品情報及び服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有すること
を特徴とする情報判別方法。
【請求項１１】
判別対象のユーザが服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有すること
を特徴とする情報判別方法。
【請求項１２】
判別対象のユーザが摂取予定の食品情報及び服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとを有し、
上記判別ステップでは、薬剤情報及び属性情報の組み合わせに対する禁忌食材に相当する食品情報の関係に関する情報が外部から提供され、これを参照すべき組み合わせ禁忌度に反映させること
を特徴とする情報判別方法。
【請求項１３】
判別対象のユーザが服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとを有し、
上記判別ステップでは、薬剤情報及び属性情報の組み合わせに対する禁忌食材に相当する食品情報の関係に関する情報が外部から提供され、これを参照すべき組み合わせ禁忌度に反映させること
を特徴とする情報判別方法。
【請求項１４】
上記判別ステップでは、薬剤情報、属性情報及び生体情報の組み合わせに対する禁忌食材に相当する食品情報の関係に関する情報が外部から提供され、これを参照すべき組み合わせ禁忌度に反映させること
を特徴とする請求項１０又は１１記載の情報判別方法。
【請求項１５】
判別対象のユーザが摂取予定の食品情報及び服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとをコンピュータに実行させること
を特徴とする情報判別プログラム。
【請求項１６】
判別対象のユーザが服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとをコンピュータに実行させること
を特徴とする情報判別プログラム。
【請求項１７】
判別対象のユーザが摂取予定の食品情報及び服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとを有し、
上記判別ステップでは、薬剤情報及び属性情報の組み合わせに対する禁忌食材に相当する食品情報の関係に関する情報が外部から提供され、これを参照すべき組み合わせ禁忌度に反映させることをコンピュータに実行させること
を特徴とする情報判別プログラム。
【請求項１８】
判別対象のユーザが服用している薬剤情報と、ユーザ自身の属性情報とを取得する情報取得ステップと、
薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとを有し、
上記判別ステップでは、薬剤情報及び属性情報の組み合わせに対する禁忌食材に相当する食品情報の関係に関する情報が外部から提供され、これを参照すべき組み合わせ禁忌度に反映させることをコンピュータに実行させること
を特徴とする情報判別プログラム。
【請求項１９】
上記判別ステップでは、薬剤情報、属性情報及び生体情報の組み合わせに対する禁忌食材に相当する食品情報の関係に関する情報が外部から提供され、これを参照すべき組み合わせ禁忌度に反映させること
を特徴とする請求項１７又は１８記載の情報判別プログラム。
【手続補正２】
【補正対象書類名】明細書
【補正対象項目名】００１３
【補正方法】変更
【補正の内容】
【００１３】
第１発明に係る情報判別システムは、判別対象のユーザが摂取予定の食品情報及び服用している薬剤情報と、ユーザ自身の属性情報と、ユーザの直近の生体情報とを取得する情報取得手段と、薬剤情報、属性情報及び生体情報の組み合わせに対する食品情報との３段階以上の組み合わせ禁忌度を参照し、上記情報取得手段により取得された上記食品情報が、同じく取得された上記薬剤情報、上記属性情報及び上記生体情報との関係において禁忌食材が含まれているか否かを判別する判別手段とを備えることを特徴とする。
【手続補正３】
【補正対象書類名】明細書
【補正対象項目名】００１４
【補正方法】変更
【補正の内容】
【００１４】
第２発明に係る情報判別システムは、判別対象のユーザが服用している薬剤情報と、ユーザ自身の属性情報と、ユーザの直近の生体情報とを取得する情報取得手段と、薬剤情報、属性情報及び生体情報の組み合わせに対する食品情報との３段階以上の組み合わせ禁忌度を参照し、上記情報取得手段により取得された上記薬剤情報、上記属性情報及び上記生体情報との関係において禁忌食材を判別する判別手段とを備えることを特徴とする。
【手続補正４】
【補正対象書類名】明細書
【補正対象項目名】００１５
【補正方法】変更
【補正の内容】
【００１５】
第６発明に係る情報判別システムは、判別対象のユーザが摂取予定の食品情報及び服用している薬剤情報と、ユーザ自身の属性情報とを取得する情報取得手段と、薬剤情報及び属性情報の組み合わせに対する食品情報との３段階以上の組み合わせ禁忌度を参照し、上記情報取得手段により取得された上記食品情報が、同じく取得された上記薬剤情報及び上記属性情報との関係において禁忌食材が含まれているか否かを判別する判別手段とを備え、上記判別手段は、薬剤情報及び属性情報の組み合わせに対する禁忌食材に相当する食品情報の関係に関する情報が外部から提供され、これを参照すべき組み合わせ禁忌度に反映させることを特徴とする。
【手続補正５】
【補正対象書類名】明細書
【補正対象項目名】００１６
【補正方法】変更
【補正の内容】
【００１６】
第７発明に係る情報判別システムは、判別対象のユーザが服用している薬剤情報と、ユーザ自身の属性情報とを取得する情報取得手段と、薬剤情報及び属性情報の組み合わせに対する食品情報との３段階以上の組み合わせ禁忌度を参照し、上記情報取得手段により取得された上記薬剤情報及び上記属性情報との関係において禁忌食材を判別する判別手段とを備え、上記判別手段は、薬剤情報及び属性情報の組み合わせに対する禁忌食材に相当する食品情報の関係に関する情報が外部から提供され、これを参照すべき組み合わせ禁忌度に反映させることを特徴とする。
【手続補正６】
【補正対象書類名】明細書
【補正対象項目名】００１７
【補正方法】変更
【補正の内容】
【００１７】
第１０発明に係る情報判別方法は、判別対象のユーザが摂取予定の食品情報及び服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有することを特徴とする。
【手続補正７】
【補正対象書類名】明細書
【補正対象項目名】００１８
【補正方法】変更
【補正の内容】
【００１８】
第１１発明に係る情報判別方法は、判別対象のユーザが服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有することを特徴とする。
【手続補正８】
【補正対象書類名】明細書
【補正対象項目名】００１９
【補正方法】変更
【補正の内容】
【００１９】
第１２発明に係る情報判別方法は、判別対象のユーザが摂取予定の食品情報及び服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとを有し、上記判別ステップでは、薬剤情報及び属性情報の組み合わせに対する禁忌食材に相当する食品情報の関係に関する情報が外部から提供され、これを参照すべき組み合わせ禁忌度に反映させることを特徴とする。
【手続補正９】
【補正対象書類名】明細書
【補正対象項目名】００２０
【補正方法】変更
【補正の内容】
【００２０】
第１３発明に係る情報判別方法は、判別対象のユーザが服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとを有し、上記判別ステップでは、薬剤情報及び属性情報の組み合わせに対する禁忌食材に相当する食品情報の関係に関する情報が外部から提供され、これを参照すべき組み合わせ禁忌度に反映させることを特徴とする。
【手続補正１０】
【補正対象書類名】明細書
【補正対象項目名】００２１
【補正方法】変更
【補正の内容】
【００２１】
第１５発明に係る情報判別プログラムは、判別対象のユーザが摂取予定の食品情報及び服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとをコンピュータに実行させることを特徴とする。
【手続補正１１】
【補正対象書類名】明細書
【補正対象項目名】００２２
【補正方法】変更
【補正の内容】
【００２２】
第１６発明に係る情報判別プログラムは、判別対象のユーザが服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとをコンピュータに実行させることを特徴とする。
【手続補正１２】
【補正対象書類名】明細書
【補正対象項目名】００２３
【補正方法】変更
【補正の内容】
【００２３】
第１７発明に係る情報判別プログラムは、判別対象のユーザが摂取予定の食品情報及び服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記食品情報が、同じく取得した上記薬剤情報及び上記属性情報との関係において禁忌食材が含まれているか否かを判別する判別ステップとを有し、上記判別ステップでは、薬剤情報及び属性情報の組み合わせに対する禁忌食材に相当する食品情報の関係に関する情報が外部から提供され、これを参照すべき組み合わせ禁忌度に反映させることをコンピュータに実行させることを特徴とする。
【手続補正１３】
【補正対象書類名】明細書
【補正対象項目名】００２４
【補正方法】変更
【補正の内容】
【００２４】
第１８発明に係る情報判別プログラムは、判別対象のユーザが服用している薬剤情報と、ユーザ自身の属性情報とを取得する情報取得ステップと、薬剤情報及び属性情報の組み合わせに対する食品情報との３段階以上の組み合わせ禁忌度を参照し、上記情報取得ステップにおいて取得した上記薬剤情報及び上記属性情報との関係において禁忌食材を判別する判別ステップとを有し、上記判別ステップでは、薬剤情報及び属性情報の組み合わせに対する禁忌食材に相当する食品情報の関係に関する情報が外部から提供され、これを参照すべき組み合わせ禁忌度に反映させることをコンピュータに実行させることを特徴とする。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
判別対象のユーザが摂取予定の食品情報及び服用している薬剤情報と、ユーザ自身の属性情報と、ユーザの直近の生体情報とを取得する情報取得手段と、
薬剤情報、属性情報及び生体情報の組み合わせに対する食品情報との３段階以上の組み合わせ禁忌度を参照し、上記情報取得手段により取得された上記食品情報が、同じく取得された上記薬剤情報、上記属性情報及び上記生体情報との関係において禁忌食材が含まれているか否かを判別する判別手段とを備え、
上記判別手段は、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別システム。
【請求項２】
判別対象のユーザが服用している薬剤情報と、ユーザ自身の属性情報と、ユーザの直近の生体情報とを取得する情報取得手段と、
薬剤情報、属性情報及び生体情報の組み合わせに対する食品情報との３段階以上の組み合わせ禁忌度を参照し、上記情報取得手段により取得された上記薬剤情報、上記属性情報及び上記生体情報との関係において禁忌食材を判別する判別手段とを備え、
上記判別手段は、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別システム。
【請求項３】
上記情報取得手段は、ＩＣカード又は携帯情報端末に実装され、
上記判別手段は、上記ＩＣカード又は上記携帯情報端末との間で通信可能な店舗内に設置される判別装置内に実装されること
を特徴とする請求項１又は２項記載の情報判別システム。
【請求項４】
上記情報取得手段により取得された各情報は、クラウド上においてユーザ毎に管理され、
上記参照すべき組み合わせ禁忌度は、上記判別手段との間で通信可能なサーバにより管理されること
を特徴とする請求項１〜３のうち何れか１項記載の情報判別システム。
【請求項５】
上記食品情報は、ユーザが摂取予定のサプリメントに関する情報を含むこと
を特徴とする請求項１〜４のうち何れか１項記載の情報判別システム。
【請求項６】
判別対象のユーザが摂取予定の食品情報及び服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別方法。
【請求項７】
判別対象のユーザが服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別方法。
【請求項８】
判別対象のユーザが摂取予定の食品情報及び服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させることをコンピュータに実行させること
を特徴とする情報判別プログラム。
【請求項９】
判別対象のユーザが服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させることをコンピュータに実行させること
を特徴とする情報判別プログラム。
【手続補正２】
【補正対象書類名】明細書
【補正対象項目名】００１３
【補正方法】変更
【補正の内容】
【００１３】
第１発明に係る情報判別システムは、判別対象のユーザが摂取予定の食品情報及び服用している薬剤情報と、ユーザ自身の属性情報と、ユーザの直近の生体情報とを取得する情報取得手段と、薬剤情報、属性情報及び生体情報の組み合わせに対する食品情報との３段階以上の組み合わせ禁忌度を参照し、上記情報取得手段により取得された上記食品情報が、同じく取得された上記薬剤情報、上記属性情報及び上記生体情報との関係において禁忌食材が含まれているか否かを判別する判別手段とを備え、上記判別手段は、薬剤情報、属性情報及び生体情報の組み合わせに対する禁忌食材に相当する食品情報の関係に関する情報が外部から提供され、これを参照すべき組み合わせ禁忌度に反映させることを特徴とする。
【手続補正３】
【補正対象書類名】明細書
【補正対象項目名】００１４
【補正方法】変更
【補正の内容】
【００１４】
第２発明に係る情報判別システムは、判別対象のユーザが服用している薬剤情報と、ユーザ自身の属性情報と、ユーザの直近の生体情報とを取得する情報取得手段と、薬剤情報、属性情報及び生体情報の組み合わせに対する食品情報との３段階以上の組み合わせ禁忌度を参照し、上記情報取得手段により取得された上記薬剤情報、上記属性情報及び上記生体情報との関係において禁忌食材を判別する判別手段とを備え、上記判別手段は、薬剤情報、属性情報及び生体情報の組み合わせに対する禁忌食材に相当する食品情報の関係に関する情報が外部から提供され、これを参照すべき組み合わせ禁忌度に反映させることを特徴とする。
【手続補正４】
【補正対象書類名】明細書
【補正対象項目名】００１５
【補正方法】変更
【補正の内容】
【００１５】
第６発明に係る情報判別方法は、判別対象のユーザが摂取予定の食品情報及び服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有し、上記判別ステップでは、薬剤情報、属性情報及び生体情報の組み合わせに対する禁忌食材に相当する食品情報の関係に関する情報が外部から提供され、これを参照すべき組み合わせ禁忌度に反映させることを特徴とする。
【手続補正５】
【補正対象書類名】明細書
【補正対象項目名】００１６
【補正方法】変更
【補正の内容】
【００１６】
第７発明に係る情報判別方法は、判別対象のユーザが服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有し、上記判別ステップでは、薬剤情報、属性情報及び生体情報の組み合わせに対する禁忌食材に相当する食品情報の関係に関する情報が外部から提供され、これを参照すべき組み合わせ禁忌度に反映させることを特徴とする。
【手続補正６】
【補正対象書類名】明細書
【補正対象項目名】００１７
【補正方法】変更
【補正の内容】
【００１７】
第８発明に係る情報判別プログラムは、判別対象のユーザが摂取予定の食品情報及び服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有し、上記判別ステップでは、薬剤情報、属性情報及び生体情報の組み合わせに対する禁忌食材に相当する食品情報の関係に関する情報が外部から提供され、これを参照すべき組み合わせ禁忌度に反映させることをコンピュータに実行させることを特徴とする。
【手続補正７】
【補正対象書類名】明細書
【補正対象項目名】００１８
【補正方法】変更
【補正の内容】
【００１８】
第９発明に係る情報判別プログラムは、判別対象のユーザが服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有し、上記判別ステップでは、薬剤情報、属性情報及び生体情報の組み合わせに対する禁忌食材に相当する食品情報の関係に関する情報が外部から提供され、これを参照すべき組み合わせ禁忌度に反映させることをコンピュータに実行させることを特徴とする。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
判別対象のユーザが摂取予定の食品情報及び服用している薬剤情報と、ユーザ自身の属性情報と、ユーザの直近の生体情報とを取得する情報取得手段と、
薬剤情報、属性情報及び生体情報の組み合わせに対する食品情報との３段階以上の組み合わせ禁忌度を参照し、上記情報取得手段により取得された上記食品情報が、同じく取得された上記薬剤情報、上記属性情報及び上記生体情報との関係において禁忌食材が含まれているか否かを判別する判別手段とを備え、
上記判別手段は、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別システム。
【請求項２】
判別対象のユーザが服用している薬剤情報と、ユーザ自身の属性情報と、ユーザの直近の生体情報とを取得する情報取得手段と、
薬剤情報、属性情報及び生体情報の組み合わせに対する食品情報との３段階以上の組み合わせ禁忌度を参照し、上記情報取得手段により取得された上記薬剤情報、上記属性情報及び上記生体情報との関係において禁忌食材を判別する判別手段とを備え、
上記判別手段は、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別システム。
【請求項３】
上記情報取得手段は、ＩＣカード又は携帯情報端末に実装され、
上記判別手段は、上記ＩＣカード又は上記携帯情報端末との間で通信可能な店舗内に設置される判別装置内に実装されること
を特徴とする請求項１又は２項記載の情報判別システム。
【請求項４】
上記情報取得手段により取得された各情報は、クラウド上においてユーザ毎に管理され、
上記参照すべき組み合わせ禁忌度は、上記判別手段との間で通信可能なサーバにより管理されること
を特徴とする請求項１〜３のうち何れか１項記載の情報判別システム。
【請求項５】
上記食品情報は、ユーザが摂取予定のサプリメントに関する情報を含むこと
を特徴とする請求項１〜４のうち何れか１項記載の情報判別システム。
【請求項６】
判別対象のユーザが摂取予定の食品情報及び服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有し、上記各ステップをコンピュータが実行し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別方法。
【請求項７】
判別対象のユーザが服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有し、上記各ステップをコンピュータが実行し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させること
を特徴とする情報判別方法。
【請求項８】
判別対象のユーザが摂取予定の食品情報及び服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させることをコンピュータに実行させること
を特徴とする情報判別プログラム。
【請求項９】
判別対象のユーザが服用している薬剤情報と、ユーザ自身の属性情報と、ユーザの直近の生体情報とを取得する情報取得ステップと、
薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有し、
上記判別ステップでは、薬剤情報、属性情報及び生体情報の組み合わせに対する禁忌食材に相当する食品情報の関係に関する情報が外部から提供され、これを参照すべき組み合わせ禁忌度に反映させることをコンピュータに実行させること
を特徴とする情報判別プログラム。
【手続補正２】
【補正対象書類名】明細書
【補正対象項目名】００１５
【補正方法】変更
【補正の内容】
【００１５】
第６発明に係る情報判別方法は、判別対象のユーザが摂取予定の食品情報及び服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記食品情報が、同じく取得した上記薬剤情報、上記属性情報及び上記生体情報との関係において禁忌食材が含まれているか否かを判別する判別ステップとを有し、上記各ステップをコンピュータが実行し、上記判別ステップでは、薬剤情報、属性情報及び生体情報の組み合わせに対する禁忌食材に相当する食品情報の関係に関する情報が外部から提供され、これを参照すべき組み合わせ禁忌度に反映させることを特徴とする。
【手続補正３】
【補正対象書類名】明細書
【補正対象項目名】００１６
【補正方法】変更
【補正の内容】
【００１６】
第７発明に係る情報判別方法は、判別対象のユーザが服用している薬剤情報と、ユーザ自身の属性情報と、ユーザの直近の生体情報とを取得する情報取得ステップと、薬剤情報、属性情報及び生体情報の組み合わせに対する食品情報との３段階以上の組み合わせ禁忌度を参照し、上記情報取得ステップにおいて取得した上記薬剤情報、上記属性情報及び上記生体情報との関係において禁忌食材を判別する判別ステップとを有し、上記各ステップをコンピュータが実行し、上記判別ステップでは、薬剤情報、属性情報及び生体情報の組み合わせに対する禁忌食材に相当する食品情報の関係に関する情報が外部から提供され、これを参照すべき組み合わせ禁忌度に反映させることを特徴とする。